(57)【要約】【課題】荷重のかかっていない不使用時等の家具を移動させる時はスムーズに動かすことができ、使用中等の荷重のかかっている時は動きにくくすることのできる家具の滑り止め部材を提供することである。【解決手段】家具の滑り止め部材は、長円形平面の台板１と、台板１の長径方向両端側の長円形平面の第１高摩擦部材２と、短径方向両端側の長円形平面の第２高摩擦部材３と、第１、第２高摩擦部材２、３に囲まれた長円形平面の第１低摩擦部材４と、第２高摩擦部材３，３の間に設けられた円形平面の第２低摩擦部材５とを備えており、台板１が家具の下面に取り付けらる。【選択図】        図１
2004357732.tif 000002
【特許請求の範囲】
【請求項１】
家具の下面に取り付けられる家具の滑り止め部材において、台板と、台板の中央に配設された低摩擦部材と、低摩擦部材の周囲に配設された複数個の高摩擦部材とを備え、低摩擦部材は弾性材料から成る弾性基部とフッ素樹脂等の低摩擦材料層とから成り、低摩擦部材の弾性基部を形成する弾性材料よりも弾性係数の低い弾性材料で高摩擦部材を形成することを特徴とする家具の滑り止め部材。
【請求項２】
台板と、低摩擦部材及び高摩擦部材を長円形平面に形成したことを特徴とする請求項１記載の家具の滑り止め部材。
【請求項３】
台板と、高摩擦部材を長円形平面に形成し、中央に配設する第１低摩擦部材を長円形平面に形成し、長円の短径方向両端側に配設された２個の高摩擦部材の間に円形平面に形成した第２低摩擦部材を配設したことを特徴とする請求項１記載の家具の滑り止め部材。
【発明の詳細な説明】
【０００１】
【発明が属する技術分野】
本発明は、机や椅子等の家具において、人が腰掛けている時の椅子のように荷重が掛かっている時は椅子の脚が床上を滑らず、荷重が掛かっていない時は椅子の脚が床上を滑りやすくする家具の滑り止め部材に関する。
【０００２】
【従来の技術】
一般に、室内の模様替え、引越等において、箪笥、机、椅子等の家具を移動させる必要があり、家具の中に物が収納されておらず、家具自身の重さだけである場合は作業も容易であるが、家具の中に物が収納されている場合には、重量が増大して移動させにくいという問題があった。
また、椅子を前後に移動させる際、人が着座していない状態なら軽く移動させられるが、人が着座して荷重が掛かった状態では移動させにくく、且つ床面を傷つける恐れがあるという問題があった。
これらの問題を解決するために、家具の下面にキャスター等の滑りを良くして移動させやすくする部材を設けることが行われている。
一方、地震等の外部からの揺れに対しては、家具が移動して危険なので、滑り止め部材を家具の脚等の下面に装着することが行われている。
家具の滑り止め部材としては、ゴム等の高摩擦係数材料で形成されており、家具の脚等の下面に装着されるものが知られている。
【０００３】
【発明が解決しようとする課題】
しかしながら、上記従来の滑り止め部材においては、ゴム等の高摩擦係数材料が常に床面に接触しており、移動させる場合は常に全体を持ち上げなくてはならず、移動させることが困難であるという問題があった。
一方、キャスター等の移動させやすくする部材を設けた場合は、地震等の外部からの揺れに対して、家具が大きく移動して人に危害を与える恐れがあるという問題があった。
【０００４】
本発明の目的は、荷重のかかっていない不使用時等の家具を移動させる時はスムーズに動かすことができ、使用中等の荷重のかかっている時は動きにくくすることのできる家具の滑り止め部材を提供することである。
【０００５】
【課題を解決するための手段】
上記目的を達成するために本発明の家具の滑り止め部材は、請求項１においては、家具の下面に取り付けられる家具の滑り止め部材であって、台板と、台板の中央に配設された低摩擦部材と、低摩擦部材の周囲に配設された複数個の高摩擦部材とを備え、低摩擦部材は弾性材料から成る弾性基部とフッ素樹脂等の低摩擦材料層とから成り、低摩擦部材の弾性基部を形成する弾性材料よりも弾性係数の低い弾性材料で高摩擦部材を形成することにより、家具の自重のみで荷重をかけない状態（例えば、人が座っていない状態の椅子）では、低摩擦部材が伸びた状態で低摩擦部材の長さＨが高摩擦部材の長さｈより大きく（Ｈ＞ｈ）なり、低摩擦部材のみが床に接触して、家具は床上を滑り易くなり、床を傷つけること無く軽い力で容易に移動させることができる。
また、低摩擦部材の下面即ち床との接触面にフッ素樹脂等の低摩擦材料層を設けたことにより、床面上の滑りが良くなるものである。
また、家具に荷重をかけた状態（例えば、椅子に人が座った状態）では、低摩擦部材の弾性基部が圧縮されて高さＨが低くなり、高摩擦部材の高さｈに等しくなるから、高摩擦部材が床に接触して、家具の滑動を防ぎ、家具の移動を防止する。
請求項２において、台板と、低摩擦部材及び高摩擦部材を長円形平面に形成したことにより、家具の脚の下面の全ての形状、大きさに対応することができる。
即ち家具の脚の下面の形状、大きさ等に応じて適宜の枚数の滑り止め部材を、家具の脚の下面に貼付することで、脚の下面に滑り止めを効果的に持たせることができる。
請求項３において、台板と高摩擦部材を長円形平面に形成し、中央に配設する第１低摩擦部材を長円形平面に形成し、長円の短径方向両端側に配設された２個の高摩擦部材の間に円形平面に形成した第２低摩擦部材を配設したことにより、荷重がかかっておらず、第１、第２低摩擦部材の弾性基部が圧縮されない状態（伸びた状態）で床を滑らせる際に、高摩擦部材を確実に床から離し、第１低摩擦部材及び第２低摩擦部材が床に当接することになり、床を傷つけること無く、軽い力で床を移動させることができる。
即ち、荷重がかかっていない時、２個の第２高摩擦部材の床との摩擦力を確実に遮断し、家具の下面を低摩擦部材で確実に支持して第２低摩擦部材を結ぶ方向の床との摩擦力を小さくして容易に移動させることができる。
【０００６】
【発明の実施の形態】
本発明の第１実施例を図１及び図２を参照して説明する。
図１において、家具の滑り止め部材は、長円形平面に形成された台板１と、台板１の長径方向両端側に設けられた２個の長円形平面の第１高摩擦部材２と、台板１の短径方向両端側に、中央部に間隔をおいて設けられた４個の長円形平面の第２高摩擦部材３と、台板１の中央に、２個の第１高摩擦部材２，２と第２高摩擦部材３，３に囲まれた位置に設けられた長円形平面の第１低摩擦部材４と、短径方向両端側の第２高摩擦部材３，３の間に設けられた２個の円形平面の第２低摩擦部材５とを備えており、台板１が家具の下面に取り付けられる。
【０００７】
図２（イ）に示すように、第１高摩擦部材２と第２高摩擦部材３とは、ゴム等の高摩擦材料で予め設定された突出高さｈ（例えば、４ｍｍ）に突出して形成されている。
第１高摩擦部材２の図示上面即ち床面との接触面２１は、高摩擦材料がそのまま露出しているから、床面に接触すると、滑りにくい状態となる。
なお、第２高摩擦部材３においても同様である。
【０００８】
図２（ロ）に示すように、第１低摩擦部材４は、ゴム等の高弾性材料で形成された弾性基部４０と、弾性基部４０の図示上面即ち床面との接触面にフッ素樹脂等の低摩擦材料層４１を設け、予め設定された突出高さＨ（Ｈ＞ｈ、例えば、Ｈ＝５．２ｍｍ）に突出して形成されている。
第１低摩擦部材４の図示上面即ち床面との接触面は、低摩擦材料層４１が露出しているから、床面に接触すると、滑りやすい状態となる。
なお、第２低摩擦部材５においても同様である。
【０００９】
第１低摩擦部材４及び第２低摩擦部材５の高さＨ（例えば、Ｈ＝５．２ｍｍ）と、第１高摩擦部材２及び第２高摩擦部材３の高さｈ（例えば、ｈ＝４ｍｍ）とに差Δ＝Ｈ−ｈ（例えば、Δ＝１．２ｍｍ）を設けるとともに、第１低摩擦部材４及び第２低摩擦部材５の弾性基部４０（第２低摩擦部材５の弾性基部は図示略）を形成するゴム等の高弾性材料を、第１高摩擦部材２及び第２高摩擦部材３を形成する弾性材料より柔らかい即ち弾性係数の高い材料を用いる。
但し、家具の自重のみで荷重をかけない状態（例えば、人が座っていない状態の椅子）における第１低摩擦部材４及び第２低摩擦部材５がほとんど変形しない弾性係数の材料を使用する。
【００１０】
したがって、家具の自重のみで荷重をかけない状態（例えば、人が座っていない状態の椅子）における第１低摩擦部材４及び第２低摩擦部材５が変形せず、その高さＨが、第１高摩擦部材２及び第２高摩擦部材３の高さｈよりも高い（差Δ＝Ｈ−ｈ）から、第１低摩擦部材４及び第２低摩擦部材５の接触面である低摩擦材料層４１（第２低摩擦部材５は図示略）のみが床面に当接し、第１高摩擦部材２及び第２高摩擦部材３床に接触しないから、家具は床上を滑り易くなり、容易に移動させることができる。
【００１１】
次に、家具に荷重をかけた状態（例えば、椅子に人が座った状態）では、第１低摩擦部材４及び第２低摩擦部材５の弾性基部４０（第２低摩擦部材５の弾性基部は図示略）が圧縮されて高さＨが小となり、第１高摩擦部材２及び第２高摩擦部材３の高さｈに等しくなる（差Δ＝０）から、第１高摩擦部材２及び第２高摩擦部材３が床に接触して、家具の滑動を防ぎ、軽い力による家具の移動を防止する。
【００１２】
この構成によると、家具の自重のみで荷重をかけない状態（例えば、人が座っていない状態の椅子）では、低摩擦部材が伸びた状態で低摩擦部材の長さＨが高摩擦部材の長さｈより大きく（Ｈ＞ｈ）なり、第１低摩擦部材４及び第２低摩擦部材５のみが床に接触して、家具は床上を滑り易くなり、床を傷つけること無く軽い力で容易に移動させることができる。
また、低摩擦部材（例、第１低摩擦部材４）の下面即ち床との接触面にフッ素樹脂等の低摩擦材料層（例、低摩擦材料層４１）を設けたことにより、床面上の滑りが良くなるものである。
また、家具に荷重をかけた状態（例えば、椅子に人が座った状態）では、第１低摩擦部材４及び第２低摩擦部材５が圧縮されて高さＨが低くなり、第１高摩擦部材２及び第２高摩擦部材３の高さｈに等しくなるから、第１高摩擦部材２及び第２高摩擦部材３が床に接触して、家具の滑動を防ぎ、家具の移動を防止する。
【００１３】
中央に第１低摩擦部材４を配設し、２個の第２高摩擦部材３の間に第２低摩擦部材５を配設していることにより、荷重がかかっておらず、第１、第２低摩擦部材４，５の弾性基部が圧縮されない状態（伸びた状態）で床を滑らせる際に、第１、第２高摩擦部材２、３を確実に床から離し、第１低摩擦部材４及び第２低摩擦部材５が床に当接することになり、床を傷つけること無く、軽い力で床を移動させることができる。
【００１４】
この構成により、荷重がかかっていない時、２個の第２高摩擦部材３の床との摩擦力を確実に遮断し、家具の下面を低摩擦部材で確実に支持して第２低摩擦部材５を結ぶ方向の床との摩擦力を小さくして容易に移動させることができる。
逆に、荷重がかかっている時は、第１、第２低摩擦部材４，５の弾性基部が圧縮され、その高さＨが第１、第２高摩擦部材２、３の高さｈと等しく（Ｈ＝ｈ）なり、第１、第２高摩擦部材２、３が床面に接触して滑り止め機能を発揮するもので、家具に荷重をかけた状態（例えば、椅子に人が座った状態）では、十分な滑り止め効果を得ることができる。
【００１５】
このように、荷重がかかっている時は、低摩擦部材は圧縮されて、ゴム等の高摩擦部材が床に当接して十分な滑り止め効果を得ることができる。
なお、家具の脚の下面即ち床との接触面が大きいときは、複数枚の滑り止め部材を併設することで、接触面全体に滑り止め部材を配設する。
また、滑り止め部材の台板を長円形に形成したことで、家具の脚の下面の全ての形状、大きさに対応することができる。
即ち家具の脚の下面の形状、大きさ等に応じて適宜の枚数の滑り止め部材を、家具の脚の下面に貼付することで、脚の下面に滑り止めを効果的に持たせることができる。
【００１６】
次に、図３を参照して第２実施例を説明する。
長円形の台板１と、台板１の中央に配設された長円形の低摩擦部材７と、低摩擦部材７の周囲に、低摩擦部材７を取り囲んで複数個の長円形の高摩擦部材８を配設している。
【００１７】
この構成によると、荷重がかかった時に、前後左右斜め等の全方向において高摩擦部材の床面との摩擦力が大きく、滑り止め機能を十分に確保することができる。
また、荷重がかかっていない時は、中央に配設された長円形の低摩擦部材のみが床面に当接し、周囲の高摩擦部材を床面から確実に離して、容易に移動させるようにする。
【００１８】
【発明の効果】
本発明は、上述のとおり構成されているから次に述べる効果を奏する。
請求項１においては、家具の下面に取り付けられる家具の滑り止め部材であって、台板と、台板の中央に配設された低摩擦部材と、低摩擦部材の周囲に配設された複数個の高摩擦部材とを備え、低摩擦部材は弾性材料から成る弾性基部とフッ素樹脂等の低摩擦材料層とから成り、低摩擦部材の弾性基部を形成する弾性材料よりも弾性係数の低い弾性材料で高摩擦部材を形成することにより、家具の自重のみで荷重をかけない状態では、低摩擦部材が伸びた状態で低摩擦部材の長さＨが高摩擦部材の長さｈより大きく（Ｈ＞ｈ）なり、低摩擦部材のみが床に接触して、家具は床上を滑り易くなり、床を傷つけること無く軽い力で容易に移動させることができる。
また、低摩擦部材の下面即ち床との接触面にフッ素樹脂等の低摩擦材料層を設けたことにより、床面上の滑りが良くなるものである。
また、家具に荷重をかけた状態では、低摩擦部材の弾性基部が圧縮されて高さＨが低くなり、高摩擦部材の高さｈに等しくなるから、高摩擦部材が床に接触して、家具の滑動を防ぎ、家具の移動を防止する。
請求項２において、台板と、低摩擦部材及び高摩擦部材を長円形平面に形成したことにより、家具の脚の下面の全ての形状、大きさに対応することができる。
即ち家具の脚の下面の形状、大きさ等に応じて適宜の枚数の滑り止め部材を、家具の脚の下面に貼付することで、脚の下面に滑り止めを効果的に持たせることができる。
請求項３において、台板と高摩擦部材を長円形平面に形成し、中央に配設する第１低摩擦部材を長円形平面に形成し、長円の短径方向両端側に配設された２個の高摩擦部材の間に円形平面に形成した第２低摩擦部材を配設したことにより、荷重がかかっておらず、第１、第２低摩擦部材の弾性基部が圧縮されない状態（伸びた状態）で床を滑らせる際に、高摩擦部材を確実に床から離し、第１低摩擦部材及び第２低摩擦部材が床に当接することになり、床を傷つけること無く、軽い力で床を移動させることができる。
即ち、荷重がかかっていない時、２個の第２高摩擦部材の床との摩擦力を確実に遮断し、家具の下面を低摩擦部材で確実に支持して第２低摩擦部材を結ぶ方向の床との摩擦力を小さくして容易に移動させることができる。
【図面の簡単な説明】
【図１】本発明の家具の滑り止め部材の第１実施例の下面図である。
【図２】本発明の家具の滑り止め部材の第１実施例の側面図である。
【図３】本発明の家具の滑り止め部材の第２実施例の下面図である。
【符号の説明】
１  台板、２  第１高摩擦部材、３  第２高摩擦部材、４  第１低摩擦部材
５  第２低摩擦部材、
【図１】
2004357732.tif 000003
【図２】
2004357732.tif 000004
【図３】
2004357732.tif 000005